Podtech/llm-jp-corpus-v4-ja_patent huggingface dataset:
(57)【要約】【課題】  スリッパを履くとスリッパが脱げないように変な所に力が入ってしまい余計に足を痛めてしまう、また足が外反母趾っぽくなりかけているときに、足の指に力を入れて歩くことで足を健康な状態に近づけることができるスリッパを提供します。【解決手段】  スリッパのカバー１が架かっている部分の中に鼻緒２をつけることによってスリッパのカバー部分１を足の甲で引っ掛けて歩く履き方から鼻緒２に足の指を入れ、足の指にしっかり力を入れて歩けるようにします。【選択図】    図２
2007090017.tif 000002
【特許請求の範囲】
【請求項１】
スリッパの履き方として従来の足の甲に引っ掛けて履く方法から、スリッパに鼻緒を付けることによって足とスリッパを固定して歩けるようにすることを提案します。
【発明の詳細な説明】
【技術分野】
【０００１】本発明はスリッパを履きやすくするためにスリッパに鼻緒を付けることによって足の指にしっかり力を入れて歩くことができるようにしたものである。
【背景技術】
【０００２】従来はスリッパの中に鼻緒がついているスリッパはなかった。
【発明の開示】
【発明が解決しようとする課題】
【０００３】スリッパを履くにはスリッパのカバー部分を足の甲に引っ掛けて歩くのですが、スリッパが脱げないように足のいろいろなところに力を入れてしまい、上手く歩くことができない。
【課題を解決するための手段】
【０００４】スリッパに鼻緒２を装着することで、足の指に力を入れて歩くことができるのでスリッパが脱げる心配がなく履けるようになります。
【発明の効果】
【０００５】スリッパの中に鼻緒２があることによってスリッパが脱げる心配がなくなります。特に階段を上り下りるときにはスリッパが脱げ落ちないように変に力を入れてしまい、足を痛めてしまうようなことも結構あったが、鼻緒２をつけることによって足の指にしっかり力を入れて歩けるようになり弱りかけていた足や外反母趾ぎみの人は足を正常な状態に近づけていけるようになります。
【実施例】
【０００６】夏はスリッパのカバー部分１が図４のようにない形でもでもよいと思うが、寒い季節にはやはりスリッパのカバー部分１があった方がよいと思う。
【図面の簡単な説明】
【０００７】
【図１】本発明の正面図である。
【図２】本発明を真横から見た図である。
【図３】本発明を真上から見た図である。
【図４】カバーなしのスリッパの図である。
【符号の説明】
【０００８】１  スリッパのカバー部分
２  鼻緒
３  底敷
【図１】
2007090017.tif 000003
【図２】
2007090017.tif 000004
【図３】
2007090017.tif 000005
【図４】
2007090017.tif 000006
(57)【要約】      （修正有）【課題】従来のサンダルはサンダル自体が低いので雨水又は水溜りの水又は泥などで足が汚れた。これを解決するレインサンダルを提供する。【解決手段】底に突起した足をつけて、サンダル自体を高くし雨水又は水溜りの水又は泥のかかるのを防止する。【選択図】図１
2007090030.tif 000002
【特許請求の範囲】
【請求項１】
突起した足をつけて、サンダルを高くし雨水又は水溜りの水又は泥のかヽるのを防止したレインサンダル。
【発明の詳細な説明】
【技術分野】
【０００１】  此の発明は底に突起した足をつけて雨水又は水溜りの水又は泥のかヽるのを防止したサンダルである。
【背景技術】
【０００２】従来のサンダルはサンダル自体が低いので雨水又は水溜りの水又は泥などで足が汚れた。
【発明が解決しようとする課題】
【０００３】これはつぎのような問題があった。
サンダル自体が低いので足が汚れた。
本発明は以上の欠点をなくするためになされたものである。
〔課題を解決しようとする手段〕
【０００４】突起した足をつけてサンダルを高くした。
【発明の効果】
【０００５】足が汚れなくなった。
〔発明を実施しようとする形態〕
【０００６】  以下本発明の実施について説明する
前述の如く底に突起した足をつけてサンダル自体を高くした
【図面の簡単な説明】
【０００７】
【図１】は、サンダルの片方の側面図であり
【図２】は斜上先端から見た図である。
【図１】
2007090030.tif 000003
【図２】
2007090030.tif 000004
(57)【要約】【目的】  この発明は、キャップ状のバットのヘッドカバーに関するものである。【構成】  キャップ状のカバー部１、に開口部２、を設け、その開口部のバットへの留め方法に弾性バンド３、を設ける。【選択図】  図１
2007090022.tif 000002
【特許請求の範囲】
【請求項１】
バットのヘッド先端部に取り付ける、キャップ状の保護カバーで、カバー開口・留め部に弾性のバンドを設ける。
【請求項２】
請求項１のカバー開口・留め部にファスナーを設ける。
【請求項３】
請求項１のカバー開口・留め部にマジックテープを設ける。
【請求項４】
請求項１のカバー開口・留め部に紐閉じを設ける。
【発明の詳細な説明】
【発明の詳細な説明】
この発明は、試合や、練習等でのバットの使用時以外に、このバットキャップをバットの先端部に取り付け、バットへの傷つき防止、及びファッション性の向上を図るものである。
従来型のバットケースやバックにバットを保管、持ち運びする際も、中に入れるバットは剥き出しになっているので、保管時に装着すれば傷つき防止になる。
又、プロ野球選手等が、これに背番号やネームを印字したものを使用し、次打席の準備で、ベンチ前で取り外すシーン等は、プレーする側、見る側の次打席への緊張感、期待感を掻き立て、ファッション性の向上にもつながる。
【図面の簡単な説明】
【図１】  本発明の斜視図
【図２】  本発明の留め部をファスナー閉じにした斜視図
【図３】  本発明の留め部をマジックテープ閉じにした斜視図
【図４】  本発明の留め部を紐閉じにした斜視図
【符号の説明】
１はキャップ、カバー部
２は開口部
３は留め部、留め方式
【図１】
2007090022.tif 000003
【図２】
2007090022.tif 000004
【図３】
2007090022.tif 000005
【図４】
2007090022.tif 000006
(57)【要約】【課題】  本発明は、１人分のコーヒーをカップの中に直接抽出し、手軽にレギュラーコーヒーを飲むことが出来るワイヤー式コーヒードリッパーを提供する。【解決手段】  本発明は、ペーパーフィルターを開いた形に添うように形作った上部（１）と、カップの上に安定して載せることが出来る円形の台（２）と、台に付ける内側足（３）と外側足（４）、及び取っ手（５）をワイヤーで形作ったもので、レギュラーコーヒーを抽出するときに、１人分のコーヒーをカップ（７）の中に直接抽出することが出来ることを特徴とする。【選択図】  図３
2007090025.tif 000002
【特許請求の範囲】
【請求項１】
ペーパーフィルターを開いた形に添うように形作った上部（１）と、カップの上に安定して載せることが出来る円形の台（２）と、台に付ける内側足（３）と外側足（４）、及び取っ手（５）をワイヤーで形作ったもので、レギュラーコーヒーを抽出するときに、１人分のコーヒーをカップ（７）の中に直接抽出することが出来ることを特徴とするワイヤー式コーヒードリッパー。
【発明の詳細な説明】
【技術分野】
【０００１】  本発明は、ペーパーフィルターを開いた形に添うように形作った上部と、カップの上に安定して載せることが出来る円形の台と、台に付ける内側足と外側足、及び取っ手をワイヤーで形作ったもので、レギュラーコーヒーを抽出するときに、１人分のコーヒーをカップの中に直接抽出することが出来るワイヤー式コーヒードリッパーに関するものである。
【背景技術】
【０００２】  従来、コーヒードリッパーはプラスチック製や陶器製のものが一般的で、透明なサーバーにセットし、抽出していた。
１人分をカップに直接抽出できる使い捨ての紙製ドリッパーも知られている。
【発明の開示】
【発明が解決しようとする課題】
【０００３】  これは次のような欠点があった。
（イ）ドリッパーとサーバーの両方を洗わなければならないので後片付けが面倒であっ      た。
（ロ）１人分ほどの少量のときは、サーバーにいったん抽出すると温度が下がってしま      った。
（ハ）使い捨ての紙製ドリッパーは値段が高い。
本発明は、以上のような問題点を解決するためになされたものである。
【課題を解決するための手段】
【０００４】  本発明は、ペーパーフィルターを開いた形に添うように形作った上部（１）と、カップの上に安定して載せることが出来る円形の台（２）と、台に付ける内側足（３）と外側足（４）、及び取っ手（５）をワイヤーで形作ったもので、レギュラーコーヒーを抽出するときに、１人分のコーヒーをカップ（７）の中に直接抽出することが出来る。
本発明は、以上を特徴とするワイヤー式コーヒードリッパーである。
【発明の効果】
【０００５】  （イ）ワイヤーで出来ているため、カップの上にセットしたときにカップの中が見え、      注ぐお湯の量が調節できる。
（ロ）カップの中に直接抽出できるため、好みのコーヒーを１人分だけ手軽に飲むこと      が出来る。
（ハ）水道でさっと流すだけで洗え、乾くのも早く、サーバーも使わないので後始末が      楽。
（ニ）カップに直接抽出するので、温度が下がらず熱いものを飲むことが出来る。
（ホ）安価なペーパーフィルターが使用できる。
（ヘ）サーバーにセットし普通のコーヒードリッパーとしても使用できる。
【発明を実施するための最良の形態】
【０００６】  以下、本発明を実施するための最良の形態について説明する。
（イ）上部（１）は、ワイヤーでペーパーフィルターを開いた状態に形作る。
（ロ）上部（１）の上の形は円形で、下に行くほど偏平の楕円形にし、ペーパーフィル      ターを安定して支えることが出来るようにする。
（ハ）上部（１）の下にワイヤーで円形の台（２）を付ける。
（ニ）台（２）の大きさは、カップの口の大きさより少し大きくし、カップの上にのせ      られるようにする。
（ホ）台（２）の下に数本の内側足（３）と外側足（４）を付け、カップとのずれを防      ぐと共に、下に置いたときの接触面を小さくし、衛生的に使えるようにする。
（ヘ）内側の足（３）の取り付け位置は上部（１）と台（２）との接触部が内側に入る      ように円形に取り付け、口径の小さなカップにセットしたときも足がカップの中に      収まり、カップの外にコーヒーが漏れないようにする。
（ト）外側の足（４）は、台（２）の円周に取り付ける。
（チ）取っ手（５）を付ける。
（リ）ワイヤーの本数や取り付け位置等は、図のようなものに限定せず、ペーパーフィ      ルターが安定するものであればデザインに応じて変えることが出来る。
（ヌ）取っ手（５）の取り付け位置や形は変えることが出来る。
本発明は、以上のような構造でこれを使用するときは、カップ（７）の上にのせる。
ペーパーフィルター（６）を広げてセットし、その中にレギュラーコーヒーを入れる。
カップ（７）中に抽出されたコーヒー（９）の量を確認しながら熱湯（８）を注ぐ。
【図面の簡単な説明】
【０００７】
【図１】本発明の全体斜視図
【図２】本発明の分解斜視図
【図３】本発明の使用状態を示した斜視図
【符号の説明】
【０００８】    １  上部
２  台
３  内側足
４  外側足
５  取っ手
６  ペーパーフィルター
７  カップ
８  熱湯
９  コーヒー
【図１】
2007090025.tif 000003
【図２】
2007090025.tif 000004
【図３】
2007090025.tif 000005
(57)【要約】【課題】ちりやゴミが少量になっても、中央に集まり高さを増してちり取りに掃き込むことが出来る、Ｖ字型ちり取りを、提供する。【解決手段】ちり取りのはき込み口を、Ｖ字型（１）にして、テーパ部（２）を設け下面フラット部（３）を、Ｖ字型範囲としたことを特徴とする。【選択図】図１
2007090026.tif 000002
【特許請求の範囲】
【請求項１】
掃き込み口をＶ字型にした、ちり取り
【発明の詳細な説明】
【技術分野】
【０００１】この発明は、はき込み口をＶ字型にした、Ｖ字型ちり取りに関する物である。
【背景技術】
【０００２】従来、ちり取りのはき込み口Ａ点Ｂ点が、ストレートの物ばかりであった。
【発明の開示】
【発明が解決しようとする課題】
【０００３】これは次のような欠点があった。
ほうきでちりやゴミを掃き込む時、横に広がり高さが低くなって、掃き込めない物が少量残り、それをほうきで一箇所に集め治し高さを増してまた、掃き込んでいた。
本発明は、以上のような欠点をなくすためになされた物である。
【課題を解決するための手段】
【０００４】掃き込み口をＶ字型（１）にし、テーパ部（２）を設け、下面フラット部（３）は、Ｖ字範囲のみとする。
本発明は、以上の構成よりなるＶ字型ちり取りである。
【発明の効果】
【０００５】ほうきで掃き込む際、ちりやゴミがしぜんとＶ字型（１）の中央に、集まり高さを増すため、少量になってもテーパ部（３）を、乗り越えちり取りに入る。
【発明の実施をするための最良の形態】
【０００６】以下、本発明を実施するための最良の形態について説明する。
掃き込み口をＶ字型（１）にし、テーパ部（２）を設け、床にＶ字型部（１）が密着するよう、下面フラット部（３）は、広すぎるとＶ字型の中央部が、浮いてしまう可能性があるので、Ｖ字型部（１）範囲とする。
【図面の簡単な説明】
【図１】本発明の斜視図を示す
【符号の説明】
１      Ｖ字型部
２      テーパ部
３      下面フラット部
Ａ  Ｂ  端点
【図１】
2007090026.tif 000003
(57)【要約】【課題】従来の保護具では包丁を持つ逆の手に生じる色々な危険性の内、刃物からの危険は回避することが出来たが、食材による手荒れの危険は回避されていなかった。又、正しい姿勢に矯正してくれる保護具としては無く、装着するのに時間がかかった。【解決手段】プラスチック又はゴム製の親指用キャップ（１１）・人さし指用キャップ（１２）・中指用キャップ（１３）に、関節の所が折り曲げられるよう蛇腹状の筒体（２１、２２、２３）が設けられ、それらを一体化するため柔軟な帯（３）でつなぎ、上記各々のキャップ（１１、１２、１３）の先端部分に滑り止めの凸凹（４１、４２、４３）を形成し、そして、人さし指用キャップ（１２）・中指用キャップ（１３）に矢印（３１、３２）を表示したことを、特徴とする保護具。【選択図】図１
2007090006.tif 000002
【特許請求の範囲】
【請求項１】
プラスチック又はゴム製の親指用キャップ（１１）・人さし指用キャップ（１２）・中指用キャップ（１３）に、関節の所が折り曲げられるよう蛇腹状の筒体（２１、２２、２３）が設けられ、それらを一体化するため柔軟な帯（３）でつなぎ、上記各々のキャップ（１１、１２、１３）の先端部分に滑り止めの凸凹（４１、４２、４３）を形成し、そして、人さし指用キャップ（１２）・中指用キャップ（１３）に矢印（３１、３２）を表示したことを、特徴とする保護具。
【発明の詳細な説明】
【技術分野】
【０００１】  調理の際、包丁を持つ逆の手に生じる危険を無くし正しい手の姿勢に矯正してくれる保護具に関する。
【背景技術】
【０００２】  従来、保護具として、刃物から危険を無くすため、指に装着するものがある。【０００３】  それらは、一部分的な所を保護し、他方はむき出しになっているのが多く、また各指単一の保護具なので、親指・人さし指・中指の三本の指を保護するには各指に装着する必要がある。
【発明の開示】
【発明が解決しようとする課題】
【０００４】  以上に述べたように、従来の保護具では、刃物からの危険が回避は出きても、山芋など食材によっては指の一部がむき出しになっている所に手荒れをおこす危険があった。【０００５】  そして各単一の保護具で一体化されているので、親指用キャップ１１・人さし指用キャップ１２・中指用キャップ１３を三本の各指に装着しなければならない不経済さや、装着するのに時間がかかった。【０００６】  また正しい手の姿勢に矯正してくれる保護具としてはなかった。【０００７】  本発明は、このような従来の構成が有していた問題を解決しようとするものであり、包丁からの危険を無くし、正しい姿勢に矯正してくれる保護具が実現することを目的とするものである。
【課題を解決するための手段】
【０００８】  本発明の保護具１は、上記目的を達成するため、図１におけるプラスチック又はゴム製の親指用キャップ１１・人さし指用キャップ１２・中指用キャップ１３に関節の所が折り曲げられるよう、蛇腹状の筒体２１、２２、２３を設け、一体化するため柔軟な帯３でつなぎ、各キャップの先端部分に滑り止めの凸凹４１、４２、４３を形成し、人さし指用キャップ１２・中指用キャップ１３の所に、矢印３１、３２を表示したものである。【０００９】  上記の課題解決手段による作用は次の通りである。すなわち、保護具１は包丁を持つ逆の手に装着する事によって、刃物からの危険を無くすと共に、食材からの手荒れの危険性も防止できるものである。【００１０】  また人さし指用キャップ１２・中指用キャップ１３の矢印３１、３２を下部平面に垂直にする事で手の位置矯正の効果を発揮する。
【発明の効果】
【００１１】  上述したように本発明の保護具１は、刃物からの危険性を無くすだけでなく、食材が手に触れて起る手荒れ及び爪の損傷の無くし、帯３でつながっているからすぐ装着できる保護具として提供できる。【００１２】  また、人さし指用キャップ１２・中指用キャップ１３の矢印３１、３２が表示され、矢印が下部平面に垂直になる事で、包丁を持つ逆の手の正しい姿勢に矯正してくれる効果も発揮するのである。
【発明を実施するための最良の形態】
【実施例】
【００１３】  図１におけるプラスチック又はゴム製の親指用キャップ１１・人さし指用キャップ１２・中指用キャップ１３に関節ところが折り曲げられる様、蛇腹状筒体２１、２２、２３を形成し、それらを一体化するため柔軟な帯３でつながれている。【００１４】  また親指用キャップ１１・人さし指用キャップ１２・中指用キャップ１３の先端には滑り止めのため凸凹を形成し、正しい手の姿勢がとれるよう矢印３１、３２が表示されている。【００１５】  以下、本発明の実勢形態を図１、図２に基づいて説明する。【００１６】  図１において、親指用キャップ１１・人さし指用キャップ１２・中指用キャップ１３は、プラスチックのキャップとして形成され、関節のところが折り曲げが出きるよう蛇腹状筒体２１、２２、２３で構成されている。【００１７】  そして、親指用キャップ１１・人さし指用キャップ１２・中指用キャップ１３が一体化される様、図１に示すように柔軟性のある帯３でつながれている。【００１８】  図２は本発明の保護具を実際に使用している状況を示す図であり、親指用キャップ１１・人さし指用キャップ１２・中指用キャップ１３の下部には、滑り止めのため凸凹４１、４２、４３が形成されている。これにより山芋の短冊切りなど、ヌルヌルした材料でも簡単に調理することができる。【００１９】  また図２において、人さし指用キャップ１２・中指用キャップ１３に矢印１２、１３が表示されている。これによって、矢印１２、１３が下部平面と垂直になる事で、正しい手の姿勢が矯正できる。【００２０】  本実施例では、この矢印１２、１３の表示はプラスチック素材の色を変えることで作成したが、色の違った矢印を別途作ってこれを貼り付けても良い。【００２１】  以上の様に、図１の保護具を図２の様に親指用キャップ１１・人さし指用キャップ１２、中指用キャップ１３を、はめ込む事で、３本の指は包丁からの危険を無くし、正しい手の姿勢に矯正してくれる。
【産業上の利用可能性】
【００２２】  上述したように本発明により、現在包丁が使えなくても料理が出来ない子供達や若者にこの保護具を提供する事で、産業上の利用可能性も生まれてくるのである。
【図面の簡単な説明】
【００２３】
【図１】本発明の実施形態を示す平面図
【図２】本発明の保護具を実際に装着した斜視図
【符号の説明】
【００２４】  １１  親指用キャップ
１２  人さし指用キャップ
１３  中指用キャップ
３    柔軟な帯
２１、２２、２３  蛇腹状の筒帯
４１、４２、４３  滑り止めの凸凹
３１、３２  矢印
【図１】
2007090006.tif 000003
【図２】
2007090006.tif 000004
(57)【要約】      （修正有）【課題】骨折等の傷病者上腕を首より懸垂する場合、上腕がずれにくく、首の痛まない懸垂対を提供する。【解決手段】腕（上腕）の部分をドーナツ状又は筒状の袋にして、上腕と袋のずれを防止する。又、綿、スポンジ状にしたソーセージ型の布をひもとし、ドーナツ状袋のの手首から肘に縫いつけて吊るか、又はフックで吊るかすることにより首に結び目がなくなり、首から肩への負担が激減される。さらに傷病者に対して着脱が容易になる。【選択図】図１
2007090007.tif 000002
【特許請求の範囲】
【請求項１】
家庭におけるケガの応急処置として三角巾を使用しますが、特に前腕の骨折に用いる三角巾の固定法によって医療機関によりギブス固定された場合、三角巾で固定いたしますが、首からの結び目が前腕の重みから痛みを生じてしまい又、ひじの三角巾の末端処理のやりにくさ等の解決策として、傷病者の前腕に合わせたトンネル状の布を作り、上腕をつるすふわふわしたソーセージ型の布をトンネル状の布の両はじを縫い合わせ、それを首にかけた傷病者に最も楽な負担にならない手作り三角巾。
【請求項２】
脱着に優れた傷病者に対しての請求項１記載の手作り三角巾。
【発明の詳細な説明】
【技術分野】
【００１】本発明は、一般家庭における応急手当で簡単にできる手作り三角巾に関する。
【背景技術】
【００２】  従来の三角巾は日常生活において、ごく一般的なやりかたであった。
【発明の開示】
【発明が解決しようとする課題】
【００３】  従来の三角巾では、ずれやすく最悪の場合腕が落ちることもあった。【００４】  本発明は、このような従来の三角巾を根本的から解決しようとするものであり、使用する人にとって安心できるものである。
【課題を解決するための手段】
【００５】  そして、本発明は上記目的を達成するために、腕の部分をドーナッツ状の袋にし、手首から首を通して肘にかけるものは綿、又はスポンジ状にした一本のひも状にしたものを首からかける。【００６】  また、首から通したひもは、肘、手首の上の部分で縫い合わしてもいい。【００７】  上記のほか、フックで手首と肘をとめてもいい。
【図面の簡単な説明】
【００８】
【図１】  本発明の実施形態を示す全体図
【図２】  本発明の断面図
【図３】  本発明の正面図  （縫い合わせた場合）
【図４】  本発明の正面図  （フックを利用した場合）
【図１】
2007090007.tif 000003
【図２】
2007090007.tif 000004
【図３】
2007090007.tif 000005
【図４】
2007090007.tif 000006
(57)【要約】【課題】本発明は加硫ゴムによる自動車等の廃タイヤを凍結微粉砕し、篩下を捕集し、別に熱可塑性合成樹脂成形品を破砕して上記タイヤの微粉と均等混合し、これを上記合成樹脂の塑性体に加熱することによって加熱量を軽減し、この混合物を紐状に加圧押出冷却してペレット９状にカットし、これを各加硫ゴム成形工場に分配して硬く靭性に富む成形物を簡便に製造することを目的とする。【解決手段】タイヤ等の加硫合成ゴム材による３０〜１００メッシュ篩下微粒子の３０下〜１０重量％と、熱可塑性合成樹脂成形材を破砕してなる３〜５ｍｍ篩下凹凸形状粗粒子の７０上〜９０重量％とを撹拌混合して１００重量％となし、同混合物を加熱して上記粗粒子のみに塑性を付与し、その状態において該混合物を加圧して線状に押出し、これを冷却して粒状に成形することを特徴とするペレット製造法。【選択図】図１
2007119677.tif 000002
【特許請求の範囲】
【請求項１】
タイヤ等の加硫合成ゴム材による３０〜１００メッシュ篩下微粒子の３０下〜１０重量％と、熱可塑性合成樹脂成形材を破砕してなる３〜５ｍｍ篩下凹凸形状粗粒子の７０上〜９０重量％とを撹拌混合して１００重量％となし、同混合物を加熱して上記粗粒子のみに塑性を付与し、その状態において該混合物を加圧して線状に押出し、これを冷却して粒状に成形することを特徴とするペレット製造法。
【請求項２】
上記ゴム材及び上記熱可塑性合成樹脂材が廃材である請求項１記載のペレット製造法。
【請求項３】
上記熱可塑性合成樹脂成形材がポリエチレン、ポリプロピレン、ＡＢＳ等である請求項１又は２記載のペレット製造法。
【発明の詳細な説明】
【技術分野】
【０００１】
本発明はタイヤ等の加硫ゴムと熱可塑性合成樹脂とを混合し加熱によって成形物を形成するための加硫合成樹脂ぺレットの製造法に関するものである。
【背景技術】
【０００２】
従来、自動車の廃タイヤ等の加硫合成ゴム材と既成形ポリエチレン又はポリプロピレン材との混合物を液状に加熱溶融し、有用な硬い射出成形最終製品を得る技術が開発された（例えば特許文献１、２）。
【０００３】
しかし、上記技術は工場毎にゴム材、合成樹脂を調達し、かつ破砕又は粉砕機及び超微粉篩別け装置、混合機を各工場において設備する必要があり、かつ上記収集材料を射出成形温度まで加熱する工程において熱効率が比較的低いという問題があった。
【０００４】
即ち、廃棄加硫ゴムタイヤ等を収集し、これを粉砕機で微粉粒化する工程、及び微粉粒篩別け工程を必要とし、
かつ熱可塑性廃棄成形物の収集及びその破砕工程と、上記微粉粒との一連の混合工程を要した。
【０００５】
又上記混合物における熱可塑性合成樹脂破砕物の加熱溶融射出工程を要し、廃棄物の収集粉砕加工及び加熱射出工程に設備を要した。
【０００６】
【特許文献１】特公平３−６２９５号
【特許文献２】特開平３−１９７４９号
【発明の開示】
【発明が解決しようとする課題】
【０００７】
本発明は加硫ゴムによる自動車等の廃タイヤを凍結微粉砕し、篩下を捕集し、
別に熱可塑性合成樹脂成形品を破砕して上記タイヤの微粉と均等混合し、
これを上記合成樹脂の塑性体に加熱することによって加熱量を軽減し、この混合物を紐状に加圧押出冷却してペレット状にカットし、これを各加硫ゴム成形工場に分配して硬く靭性に富む成形物を簡便に製造することを目的とする。
【課題を解決するための手段】
【０００８】
上記の目的を達成するため本発明は
第１にタイヤ等の加硫合成ゴム材による３０〜１００メッシュ篩下微粒子の３０下〜１０重量％と、熱可塑性合成樹脂成形材を破砕してなる３〜５ｍｍ篩下凹凸形状粗粒子の７０上〜９０重量％とを撹拌混合して１００重量％となし、同混合物を加熱して上記粗粒子のみに塑性を付与し、その状態において該混合物を加圧して線状に押出し、これを冷却して粒状に成形することを特徴とするペレット製造法、
第２に上記ゴム材及び上記熱可塑性合成樹脂材が廃材である上記第１発明記載のペレット製造法、
第３に上記熱可塑性合成樹脂成形材がポリエチレン、ポリプロピレン、ＡＢＳ等である上記第１又は第２発明記載のペレット製造法、
によって構成される。
【発明の効果】
【０００９】
従って上記混合物は塑性状態に加熱すれば足り、加熱量を節減することができ、粒状成形ペレット加工と、加圧成形又は射出成形加工とを分離し得て上記ペレットを流通させ得る効果がある。
【発明を実施するための最良の形態】
【００１０】
自動車等の廃タイヤには加硫合成ゴム材が用いられる。これを回収して冷凍硬化して粉砕機で微粒子２（３０〜１００メッシュ篩下）に粉砕する。
【００１１】
一方成形されたポリプロピン（ＰＰ）、ポリエチレン（ＰＥ）、ポリスチレン（ＰＳ）又はＡＢＳ樹脂等の常温硬質材を破砕機で凹凸形状の粗粒子１（３〜５ｍｍ篩下）に破砕する。
【００１２】
そして上記微粒子２と粗粒子１とをミキサー３で撹拌混合すると、両粒子１，２は相互の表面滑りが無いため均等に配合されて両粒子１，２の原料混合物が形成される。混合比率は上記微粒子３０下〜１０重量％と、粗粒子７０上〜９０重量％よりなり合計１００重量％とする（特公平３−６０２９５）。
【００１３】
上記混合物をペレタイザー１１の加熱室５に投入密封し、ＰＰでは１７０℃、ＰＥ（高密度）では１１０〜１２０℃に加熱することにより、ゲル化して塑性状態となる。しかし上記微粒子２は固形のまま上記混合物中に均等に配合される。
【００１４】
しかし混合物全体としては塑性状態を保持する。
【００１５】
塑性状態の上記加熱混合物を圧気により加圧し、上記加熱室５に穿設された直径１．５〜２．０ｍｍの複数の透孔から水冷室６中の常温水中に押出して紐状体（線状体）７（直径約１．５〜２．０ｍｍ）に冷却成形し、さらに水冷室６から大気中に引抜き、これをカッター８で切断しペレット９（直径１．５〜２．０ｍｍ）を形成し、紙袋１０内に収容包装して製品とする。
【００１６】
上記ペレット９（粒子）は各種射出成形工場において荷受パレット、踏板その他の製品に成形される。
【００１７】
上記混合物（ゴム微粒子２５重量％プラスチックス７５重量％）による上記ペレット９の衝撃試験結果を表１に示す。
【００１８】
【表１】
2007119677.tif 000003
【産業上の利用可能性】
【００１９】
本発明の上記ペレット９は紙袋１０に包装して各地の射出成形工場に搬送され、各種製品に射出成形される。
【００２０】
特に第１表に示すように冷凍雰囲気内において衝撃値（ｋｇｆｃｍ／ｃｍ２）が大である。
【図面の簡単な説明】
【００２１】
【図１】本発明のペレット製造ラインのブロック図である。
【符号の説明】
【００２２】
１          熱可塑性プラスチック粗粒子
２          加硫合成ゴム微粒子
３          撹拌混合機（ミキサー）
４          ホッパー
５          加熱室
６          水冷室
７          紐状体（線状体）
８          カッター
９          ぺレット
１０        紙袋
【図１】
2007119677.tif 000004
(57)【要約】      （修正有）【課題】従来のバスロ−ブは比較的大きな容積を占めかつ重量も重く持ち運びが不便であった。このような問題を解決すると共に吸水能力の高いバスロ−ブを提供する。【解決手段】ポリエステル微小繊維５０％およびポリアミド微小繊維５０％含まれる微小繊維が１平方センチメ−トル当たり６，０００から１５，０００含まれる不織布からなるバスローブを作成する。これにより重量が軽いばかりでなくある種のマッサ−ジ効果もあるバスロ−ブが得られた。【選択図】図１
2007119960.tif 000002
【特許請求の範囲】
【請求項１】
吸水能力が高く、容積が小さく、かつ標準ユーザーサイズのバスローブ１着につきバスローブ重量が２００グラムから４００グラムである不織微小繊維布（１）、バスローブ重量の４００％までの水分重量を吸収する不織構造をもたらすようポリエステル微小繊維（３）５０％およびポリアミド微小繊維（３）５０％が混合されて含まれる不織微小繊維（３）が、バスローブ（５）に含まれ、前記不織布（１）に１平方センチメートル当たり６，０００から１５，０００までのポリエステルおよびポリアミド微小繊維が含まれるバスローブ（５）。
【発明の詳細な説明】
【背景技術】
【０００１】
本発明は微小繊維不織布からなるバスローブに関する。従来の布からなるこれまでのバスローブの欠点は、比較的大きな容積を占めるとともに比較的重量も重いことにある。
【０００２】
バスローブの吸収能力が大きくなるほど、重量や容積も重く、大きくなる。
【０００３】
この欠点は例えば、水泳プールや海での使用等用にバスローブを鞄に入れて運ばなくてはならないので特に困る。
【発明の概要】
【０００４】
本発明の主目的は上述の欠点を無くす構造のバスローブを提供することにある。
【０００５】
本発明のもうひとつの目的は容積も重量も極めて軽いバスローブの構造を提供することにある。
【０００６】
本発明のもうひとつの目的は、容積が小さい一方で吸収能力が高いバスローブ構造を提供することにある。
【０００７】
米国特許公開  第A-5,899,785号は、連続したフィラメントを用いる不織布からなるバスローブを公開している。  
【０００８】
本発明の一様相より、上記の目的類は、しかも別の目的も併せて、請求項１によるバスローブによって達せられる。
【図面の簡単な説明】
【０００９】
本発明のさらなる特徴と利点は、以降で明示的だが限定的ではない添付図面類における例を通じて図示される本発明によるバスローブに関する次の詳細開示から明らかにとなろう。すなわち
【図１】：本発明によるバスローブの概要透視図である。
【図２】：バスローブの構造の部分概要図である。
【図３】：部分的に断面が切られたバスローブの構造に関するもうひとつの部分概要図である。
【好ましい実施例の説明】
【００１０】
添付図面の図に関する参照番号を参照して、参照番号５によって全般的に示される本発明によるバスローブ構造には、参照番号３によって示される微小繊維を含む不織布１が含まれる。
【００１１】
前記微小繊維にはポリエステル微小繊維５０％とポリアミド微小繊維５０％が含まれる。
【００１２】
このようにして形成される不織布は、該布重量の４００％までの液体重量の吸収が可能である。
【００１３】
従って、本発明によるバスローブ構造は、はるかに少ない水分を吸収するだけの従来のバスローブに比べて極めて重量が軽いことが明らかなである。
【００１４】
ある例によると、本不織布材料によって作られるバスローブ５は、標準サイズのバスローブについて２００グラムから４００グラムのそれらしき重量を有する。
【００１５】
本バスローブを形成する不織布には６，０００／平方センチメートルから１５，０００／平方センチメートルまで変動する多くの微小繊維が含まれる点を指摘しておかなくてはならない。
【００１６】
さらに、本発明によるバスローブは、従来のバスローブのサイズより小さいことにより該発明のバスローブの持ち運びが容易となる。
【００１７】
本発明によるバスローブを形成する不織布は、これが古い角質の除去作用とともに、ある種の「マッサージ」効果をもたらすので、そのユーザーの皮膚への作用について、メリットがあることが判明した。
【００１８】
故に、当該発明は上述の目的を存分に果たしていることが明白である。
【図１】
2007119960.tif 000003
【図２】
2007119960.tif 000004
【図３】
2007119960.tif 000005
(57)【要約】【課題】  本発明は、通気性が悪く蒸れやすい、指を屈伸しにくいという欠点を有するゴム手袋と、滑りやすい、網目から泥等が入り指先が汚れやすい、指先が弱く穴が開きやすいという欠点を有する軍手に対し、これら両方の欠点を解消する新たな作業用手袋を提供することを目的とする。【解決手段】  指先部分に樹脂を塗布し指先被膜を形成し、さらに布製手袋の掌側に樹脂製の滑り止めを有することを特徴とする作業用手袋。【選択図】      図１
2007119929.tif 000002
【特許請求の範囲】
【請求項１】
指先部分に樹脂を塗布し指先被膜（２）を形成し、さらに布製手袋（１）の掌側に樹脂製の滑り止め（３）を有することを特徴とする作業用手袋。
【請求項２】
前記指先被膜（２）を親指、人差指及び中指の指先部分のみに形成することを特徴とする請求項１記載の作業用手袋。
【請求項３】
前記指先被膜（２）の形成されていない薬指と小指の指先部分を切り落とし、指出し部（５）としてあることを特徴とする請求項２記載の作業用手袋。
【発明の詳細な説明】
【技術分野】
【０００１】
本発明は、工場での作業や農作業に用いる作業用手袋に関するものである。
【背景技術】
【０００２】
従来、工場での作業や、園芸、農作業等の際には、手の汚れを防ぐためにゴム手袋や軍手が用いられてきた。しかしゴム手袋には、通気性が悪く蒸れやすい、指を屈伸しにくいという欠点があった。一方軍手には、滑りやすい、網目から泥等が入り指先が汚れやすい、指先が弱く穴が開きやすいという欠点があった。そこで、文献１及び２において、布製手袋の指先部分にゴム等の樹脂を塗布した作業用手袋が提案されている。
【特許文献１】実開平３−７０２１２号公報
【特許文献２】実開平６−５１２２３号公報
【発明の開示】
【発明が解決しようとする課題】
【０００３】
しかしながら、前記作業用手袋においては、指先部分は樹脂により滑りにくくなっているものの、それ以外の部分は通常の布製手袋と同様であり、滑りやすいという問題は解決されていない。
【０００４】
本発明は、ゴム手袋及び軍手の欠点を解消し、さらに前記作業用手袋よりも滑りにくい新たな作業用手袋を提供することを目的とする。
【課題を解決するための手段】
【０００５】
本発明のうち請求項１記載の発明は、指先部分に樹脂を塗布し指先被膜を形成し、さらに布製手袋の掌側に樹脂製の滑り止めを有することを特徴とする。この滑り止めの形状は、点状突部、線状突部、模様状突部などの滑り止め機能を備えているものは全て含む。
【０００６】
また、請求項２記載の発明のように、一般的に作業でよく使う指である親指、人差指及び中指の指先部分のみに前記指先被膜を形成することで、指先の保護と指先からの泥の侵入を防ぎ、しかも薬指及び小指が動かし易くなり、細かい作業にも効果的に対応できる。
【０００７】
さらに、請求項３記載の発明のように、指先被膜の形成されていない薬指と小指の指先部分を切り落とし、指出し部とすることで、薬指と小指を自由に動かすことができ、細かい作業により効果的に対応できると共に、通気性にも優れ蒸れ防止の作用を有効に発揮する。
【発明の効果】
【０００８】
本発明のうち請求項１記載の発明によれば、指先部分に樹脂を塗布し指先被膜を形成することで、網目から泥等が入り指先が汚れることがなく、穴が開くこともない。また、指先以外の部分は通常の布製手袋と同様であるから通気性が良好で蒸れにくく、指の屈伸も容易である。さらに掌側に樹脂製の滑り止めを有するので、物を掴んだ際に滑りにくく作業性が良い。
【０００９】
本発明のうち請求項２記載の発明によれば、指先被膜を、作業でよく使う親指、人差指及び中指の指先部分のみに限定することで、泥の入り込み防止と指先の保護を前記指先被膜で支障なく発揮でき、しかも指先被膜のない薬指及び小指の屈伸がさらに容易となり、細かい作業においても作業性を高めることができる。
【００１０】
本発明のうち請求項３記載の発明によれば、指先被膜の形成されていない薬指と小指の指先部分を切り落とし、指出し部とすることで、薬指と小指を自由に動かすことができ、より作業性が高められると共に、通気性も向上し、蒸れ防止にも効果的である。
【発明を実施するための最良の形態】
【００１１】
本発明の手袋の具体的な構成について、各図面に基づいて説明する。
【００１２】
本作業用手袋は、図１に示すように、指先部分に樹脂を塗布し指先被膜２を形成し、さらに布製手袋１の掌側全面に樹脂製の滑り止め３を有する。布製手袋１は一般的な軍手であるが、その材料は、綿、ポリエステル、レーヨン、アクリル、あるいはそれらの合成繊維等、使用目的によって自由に選ぶことができる。また、指先被膜２については、指先の感触が伝わりやすく、また指を屈伸しやすくするために、樹脂をなるべく薄く塗布する方が望ましいが、使用目的によっては厚く塗布しても良い。さらに、掌部分の滑り止め３は折れ線状の樹脂を等間隔に接着したものであり、指部分の滑り止め３は半球状の樹脂を等間隔に接着したものであるが、これらの大きさや形状は自由に選ぶことができ、また等間隔ではなく特定の部分のみに接着しても良い。これら指先被膜２及び滑り止め３の材料は、天然ゴムや塩化ビニル等、使用目的に合わせた強度や柔軟性を持つ素材から自由に選ぶことができる。
【００１３】
図２は本発明の作業用手袋の第２実施形態を示す。本作業用手袋は指先被膜２を親指、人差指及び中指の指先部分のみに形成する。滑り止め３は全面に渡って折れ線状の樹脂を等間隔に接着したものであり、特に指先被膜２のない薬指及び小指については指先部分にまで接着している。
【００１４】
図３は本発明の作業用手袋の第３実施形態を示す。本作業用手袋は、図１に示す第１実施形態に対して、手首の部分を延長して袖長部４としたものである。これにより装着者の手首から肘にまでを覆うことができ、作業時に服の袖等が汚れることを防ぐことができる。
滑り止め３は全面に渡って半球状の樹脂を等間隔に接着したものである。
【００１５】
図４は本発明の作業用手袋の第４実施形態を示す。本作業用手袋は、図２に示す第２実施形態に対して、指先被膜２のない薬指と小指の指先部分を切り落とし指出し部５としたものである。薬指と小指が露出し自由に動かせるので、より細かい作業に対応しやすくなり、しかも蒸れ防止に一層効果的である。
【図面の簡単な説明】
【００１６】
【図１】本発明の作業用手袋を示す正面図（掌側）である。
【図２】本発明の作業用手袋の第２実施形態を示す正面図（掌側）である。
【図３】本発明の作業用手袋の第３実施形態を示す正面図（掌側）である。
【図４】本発明の作業用手袋の第４実施形態を示す正面図（掌側）である。
【符号の説明】
【００１７】
１  布製手袋
２  指先被膜
３  滑り止め
５  指出し部
【図１】
2007119929.tif 000003
【図２】
2007119929.tif 000004
【図３】
2007119929.tif 000005
【図４】
2007119929.tif 000006
(57)【要約】【課題】従来、抑制介護用手袋は平袋状で指なし手袋状であった。従って、把握できずとも指を折り曲げることは可能だった。本発明は、掌側に予め把握させる部を付着させることで、より便利で安全な抑制介護用手袋を提供する。【解決手段】手袋の掌側（１）に、指から掌にかけて、把握させる部（２）を付着させたことを特徴とする。【選択図】図１
2007119985.tif 000002
【特許請求の範囲】
【請求項１】
手袋の掌側（１）に、指から掌にかけて把握させる部（２）を設けた抑制介護用手袋。
【発明の詳細な説明】
【技術分野】
【０００１】  この発明は、手袋の掌側に、把握させる部を取り付けた、抑制介護用手袋に関するものである。
【背景技術】
【０００２】従来、把握機能を抑制する指なし手袋状の抑制介護用手袋があった。
【発明の開示】
【発明が解決しようとする課題】
【０００３】これは次のような欠点があった。
（イ）  装着しても掌側は指を折ると変形しうるので、被介護者は容易に点滴や経鼻胃管などを抜去する事故が起きがちであった。
（ロ）  被介護者本人にとってもベッド柵に指を引っかかって指の捻挫や骨折などの外傷が起きる危険があった。
本発明は、これらの欠点を除くためになされたものである。
【課題を解決するための手段】
【０００４】手袋の掌側（１）に、指から掌にかけて、把握させる部（２）を付着する。
本発明は、以上のような構成よりなる抑制介護用手袋である。
【発明の効果】
【０００５】  発明は以上のような構造で、手袋の掌側（１）にある把握させる部（２）が、被介護者の手の掌側にくるように、被介護者の手を裾より挿入して装着する。被介護者の掌側にはすでに把握させる部が存在するので、ほかに物を把握することができず、また、折り曲げた指で物を引っ掛けることもできないので、点滴や経鼻胃管など被介護者にとって重要なものを誤って抜去する事故や、指の捻挫や骨折などの外傷事故を、防止することができる。また、被介護者の手の状態は、医学的に良肢位とされる、開ききった状態と握った状態の中間である中間位を保つことができるので、不自然な肢位での拘縮を防止できる。
【発明を実施するための最良の形態】
【０００６】以下、本発明の実施例について説明する。
手袋の掌側（１）に、指先から掌にかけて、タオル地のような柔らかい把握させる部（２）を縫合して固定する。
本手袋を装着した被介護者は、把握させる部（２）があるため、さらに別のものを把握することができないので事故防止になる。また、把握させる部（２）が柔らかいことから、把握させる部（２）を把握することができることで、手の肢位が完全に固定されるわけでなく、拘縮予防に有用である。
【図面の簡単な説明】
【０００７】
【図１】本発明の右手用手袋右側面図である。
【図２】本発明の左手用手袋右側面図である。
【図３】本発明の右手用手袋左側面図である。
【図４】本発明の左手用手袋左側面図である。
【図５】本発明の右手用手袋正面図である。
【図６】本発明の左手用手袋正面図である。
【符号の説明】
【０００８】１  手袋の掌側
２  把握させる部
【図１】
2007119985.tif 000003
【図２】
2007119985.tif 000004
【図３】
2007119985.tif 000005
【図４】
2007119985.tif 000006
【図５】
2007119985.tif 000007
【図６】
2007119985.tif 000008
(57)【要約】【課題】ゴム手袋使用中に生じるずり落ちを防止する器具の提供。【解決手段】ゴム手袋を挟持するはさみ具を先端に設けた２本の紐と、この紐の一方を引き出し可能に巻き取る巻取器と、この巻取器に設けた引っ掛け具とからなるゴム手袋つなぎ具。【選択図】図１
2007119982.tif 000002
【特許請求の範囲】
【請求項１】
ゴム手袋を挟持するはさみ具を先端に設けた２本の紐と、この紐の一方を引き出し可能に巻き取る巻取器と、この巻取器に設けた引っ掛け具とからなるゴム手袋つなぎ具。
【請求項２】
上記巻取器は収納時に使用するための引っ掛け具を設けていることを特徴とするゴム手袋つなぎ具。
【発明の詳細な説明】
【技術分野】
【０００１】  この発明はゴム手袋をつなぐ器具に関するものである。
【背景技術】
【０００２】  水仕事をする際、手あれ防止や爪の保護を目的として、ゴム手袋が使用されている。
【発明の開示】
【発明が解決しようとする課題】
【０００３】  ゴム手袋の中には、フィット感を追求した密着性の高いゴム手袋があるが、脱着の際、手袋がはりついて時間がかかるので、１日に何回も作業をする者には不向きである。脱着がスムーズに出来るゴム手袋は、前記のような煩わしさはないが、大きさにゆとりがあるので、作業中ずり落ちて指先のフィット感がなくなるので、使用中何回もずれを直すこととなる。使用後の収納も適当な方法がない。【０００４】  そこで、この発明は大きさにゆとりのあるゴム手袋の作業時のずり落ちを防止し、指先のフィット感を保持したまま作業ができ、使用後はそのまま引っ掛け具によりつるし干しで収納できる器具を提供することを課題とする。
【課題を解決するための手段】
【０００５】  以上の課題を解決するために、ゴム手袋を挟持するはさみ具を先端に設けた２本の紐と、この紐の一方を引き出し可能に巻き取る巻取器と、この巻取器に設けた引っ掛け具とからなるゴム手袋つなぎ具を提供する。
ゴム手袋の手の甲側をはさみ具２個で挟持し、引き出し可能側の紐を体の後ろに回す体勢で使用する。装着作業時は巻取器が紐を巻き取る力が働き、一対のゴム手袋は常にお互いを引っ張りあうので、作業時のずり落ちを解消するものである。
【発明の効果】
【０００６】  指先のフィット感を保持したまま、ずり落ちるのを気にせず作業することができる。又、サイズが大きいゴム手袋の中に、爪の保護や、ハンドクリームをつける目的で、保護用の綿手袋をつけて作業することも可能である。１対でつり干しの収納ができるので、使用後の保管も便利である。
【発明を実施するための最良の形態】
【０００７】  以下、本発明の実施の形態を説明する。
前記器具は巻取器１に固定した紐４の先端に設けたはさみ具２と、巻取器１より引き出し可能な紐５の先端に設けたはさみ具３より形成される。未使用時の紐５は巻取器１に巻き取られた状態である。（図１）
ゴム手袋の手の甲側の袖口に本器具をはさみ具２、３で挟持する。（図３）作業時は紐５を体の後ろにくるように回す。（図３）
また、巻取器１には収納時に使用するための引っ掛け具６がついていることを特徴とし、使用後ゴム手袋を脱ぐと引き出し可能側の紐５が巻取器内１に巻き取られ、１対の状態になる。はさみ具に挟持したままのゴム手袋はそのまま巻取器１に設けた引っ掛け具６により、任意の場所に干すことができる。
【図面の簡単な説明】
【０００８】
【図１】本発明の斜視図
【図２】本発明のゴム手袋挟持時の伸縮側の紐を伸ばした状態の図
【図３】本発明の作業使用図
【符号の説明】
【０００９】  １  巻取器
２  はさみ具
３  はさみ具
４  紐
５  紐
６  引っ掛け具
【図１】
2007119982.tif 000003
【図２】
2007119982.tif 000004
【図３】
2007119982.tif 000005
(57)【要約】【課題】    真夏の太陽を浴びると、目はまぶしく充血し疲れ、顔全体と首も熱くなって皮膚炎を起こしシミ、シワの原因になり、体も疲れていた。よって、顔全体（目）と首を同時にＵＶカットできるようにする。【解決手段】頭の上にかぶるベルト１に上部の網目布３と下部の網目布４の端をそれぞれ糸で縫って、その縫った糸を引っ張ってしぼり、ベルトの裏側２に縫い付け、バイヤテープ７でしまつをしたものを頭の上にかぶることによって、顔全体（目）と首を同時にＵＶカットすることができる。【選択図】図１
2007119987.tif 000002
【特許請求の範囲】
【請求項１】
上部網目布３と下部網目布４の端をそれぞれ糸で縫い、縫ったその糸を引っ張ってしぼり、ベルトの裏側２に縫い付け、バイヤステープ７で始末をし、頭の上からかぶるものである。
（イ）上部網目布３と下部網目布４は、頭の前５より頭の後ろ６が短くなるように傾斜をつけた。
（ロ）ＵＶカットが増すように、上部網目布３と下部網目布４の網目布を二重にした。
【発明の詳細な説明】
【技術の分野】
【０００１】本発明は、海のレジャーの時、スポーツ観戦の時、イベントで並んで時、ゴルフの時、野外のバーベキューの時、魚釣りをする時、洗濯物を干す時、野外の農作業の時、ガーデニングの時、ドライブの時、（助手席に座っていると目がまぶしく顔や首が焼ける。）バスツアー旅行の時、（大きな窓ガラスで景色がよく見えるのはよいが、その分まぶしい。窓のカーテンを  引くのも前後の人に気を使わなければならない。）このような時に、頭からかぶって、顔全体（目）と首を同時にＵＶカットするものである。
【背景技術】
【０００２】従来、真夏の太陽をさえぎるものとして、サングラス、帽子、日傘、ガラスに貼るＵＶシートなどいろいろあったが、一部分しかＵＶカットすることができず、顔全体（目）と首を同時にＵＶカットできるものはなかった。
【発明の開示】
【発明が解決しょうとする課題】
【０００３】真夏の太陽を浴びると、目はまぶしくて充血し疲れ、顔全体と首も熱くなって皮膚炎を起しシミ、シワの原因になり、体も疲れていた。顔全体（目）と首を同時にＵＶカットするものはなかった為、この課題を解決しょうと思った。
【課題を解決するための手段】
【０００４】顔全体（目）と首を同時にＵＶカットし、外がよく見えるものとして網目布を使用し、ＵＶカットが増すように上部の網目布３と下部の網目布４を二重になるように使用した。また、顔・首・ＵＶカット目かくし帽をかぶると頭の後ろ６が下がるので布の丈に傾斜をつけ、頭の後ろ６の方を短くした。
【発明の効果】
【０００５】（イ）これをかぶれば、顔全体（目）と首が同時のＵＶカットできます。また、帽子の上からかぶれば頭も太陽から守られます。
（ロ）布を網目にし、ＵＶカットが増すように網目を二重にしましたが、とてもよく見え涼しいです。
（ハ）頭にかぶるので、両手が使えます。
【図面の簡単な説明】
【０００６】
【図１】本発明は斜面図である。
【符号の説明】
【０００７】１  頭の上にかぶるベルト
２  ベルトの裏側
３  上部の網目布
４  下部の網目布
５  頭の前
６  頭の後ろ
７  バイヤすテープ
【図１】
2007119987.tif 000003
(57)【要約】【課題】従来のウィッグ使用者の  装着時の難点であるウィッグの適切な装着位置の  割り出しをより簡便にする【解決手段】ピン１の開口レバー４の縁に  回転軸５を設け細形定規２を取り付けた器具を  ウィッグ前端中央部もしくは分髪線に合わせて留め  顔前に細形定規２を下ろし  移動式ポイントを顔の中央  及び鼻頭等の位地を基準に合わせ  ウィッグの留め金を留める事により  誰でもウィッグを最適位置に留める事が可能になる【選択図】    図２
2007119981.tif 000002
【特許請求の範囲】
【請求項１】
ヘアウィッグ全般に使用可能で安定的に適正な位置に装着する為の着脱式装着補助器具である
着脱可能なシングル及びダブルピンをウィッグ前端中央部に留め鏡に映しながらピンの位置を目安に顔の中央に合わせる事により正確に左右の均等性が容易に割り出せる
【請求項２】
上記のシングル及びダブルピンに細形定規をピンに取り付けそれを眼前にぶら下げ眉間鼻頭等顔の一部を基準にウィッグの前後の適正な位置を使用者が本人鏡を見ながら容易に割り出せる
【請求項３】
上記の細形定規をウィングの分髪線に合わせシングル及びダブルピンを留めウィッグを装着する事により本人の分髪線に合わせたウィッグの装着が容易になる
【発明の詳細な説明】
【技術分野】
【０００１】本発明は男女ウィッグ使用者がウィッグを適正な位置への装着をより簡便に行う事が可能になる為の補助器具である
【技術背景】
【０００２】従来ではウィッグ使用者はウィッグの適正な位置への装着は半ば本人の勘と習熟が必要で街行く人の中には適正な位置からずれていたり又適正な位置にウィッグを付けられずに諦めてしまう方がすくなくない
【特許文献】
【発明の開示】
【発明が解決しようとする課題】
【０００３】従来のウィッグ使用者の装着時の難点である”本人にとっての‘最適なウィッグノ装着位置の割り出しをより正確で簡便にする為の発明である
【課題を解決するための手段】
【０００４】ダブルピン及びシングルピンの開口レバー４に回転軸５を設けた細形定規２を接着し図５図４の状態にウィッグに留めウィッグの装着位置の適正化を安定的に得られるようにした又移動式ポイント３を使用者の眉間や鼻頭等の位地に合わせるように可動式にする事により万人に対応可能とした
【発明の効果】
【０００５】ウィッグの使用に不慣れな方でもウィッグに一箇所本器具を留めるだけで常に適正な装着位地が得られウィッグを諦めず楽しんでいただける
以下本発明の実施の形態について説明する
イ、ピン１の開口レバー４に回転軸５を設け細形定規２を装着移動式ポイント３を設定
ロ、細形定規２は図２方向にフレキシブルである
【実施例】１【０００６】図３の様に本器具をウィング前端中央に留め図４の様に鏡を見ながら使用者本人の顔の部分をポイントとしてウィッグの適正位置を設定ウィッグの留め金を留める
【実施例】２【０００７】図５の様に回転軸５を回しウィッグの分髪線の上に合わせて本器具をウィッグに留め  使用者本人の分髪線に合わせてウィッグの留め金をとめる事により分髪線を基準にしたウィッグの適正位地に装着
【図面の簡単な説明】
【０００８】
【図１】本発明の正面図である
【図２】本発明の横面図である
【図３】ウィッグに本発明を留めた図である
【図４】本発明を使用してウィッグを適正な位地に装着している図である
【図５】分髪線を基準にする場合の本発明の使用法の図である
【図１】
2007119981.tif 000003
【図２】
2007119981.tif 000004
【図３】
2007119981.tif 000005
【図４】
2007119981.tif 000006
【図５】
2007119981.tif 000007